(57)【特許請求の範囲】
【請求項１】
抵抗素子を収納する収納部を有する抵抗素子収納用ケースにおいて、
前記抵抗素子収納用ケースの一方の側面から突出する保持部形成部を設け、
前記収納部に収納される抵抗素子に接続されて前記収納部の外部に引き出されるリード線を保持する保持部を、前記保持部形成部の底面に形成し、
前記保持部は、前記保持部形成部の一端から他端に向けて、前記収納部に沿う方向に溝状に形成され、且つ前記収納部の開口側から投影した際に前記収納部と重ならない位置に設けられ、
前記保持部形成部の底面は、抵抗素子収納用ケースの収納部を設けた側の部分の底面よりも上方に位置させ、
且つ前記抵抗素子収納用ケースの収納部を設けた側の部分の底面を、当該抵抗素子収納用ケースを取り付ける機器への取付面としたことを特徴とする抵抗素子収納用ケース。
【請求項２】
請求項１に記載の抵抗素子収納用ケースの収納部内に、抵抗素子を収納すると共にこの収納部を充填材で充填し、さらに前記抵抗素子収納用ケースの両端から突出する一対のリード線の内、一方のリード線を、前記抵抗素子収納用ケースから外部に引き出した部分で折り返して前記保持部に保持し、これによって、前記一対のリード線の突出方向を同一方向としたことを特徴とする抵抗器。
【発明の詳細な説明】
【技術分野】
【０００１】
本発明は、ヒータ用の抵抗器等に用いて好適な、抵抗素子収納用ケース及び抵抗器に関するものである。
【背景技術】
【０００２】
従来、例えば給湯器の通水パイプの凍結防止のため、前記通水パイプにヒータ用の抵抗器を取り付ける場合がある。即ち、給湯器の通水パイプに前記抵抗器を取り付けておき、外気温度或いは通水パイプの温度が所定値以下になったときに前記抵抗器に通電して発熱させ、通水パイプ内の水の凍結を防止する。この種の抵抗器は、例えば特許文献１に示すパイプヒータ（１）のように、長尺なセラミックケース（３０）の両端からリード線（２０，２０）を引き出す構造に構成されている。
【先行技術文献】
【特許文献】
【０００３】
【特許文献１】特開平１０−１１２３７８号公報
【発明の概要】
【発明が解決しようとする課題】
【０００４】
上述のように、ヒータ用の抵抗器は、例えば給湯器を組み立てる際にその通水パイプに取り付けられるが、通水パイプは、一般に、他の通水パイプや他の部材と接近して、狭いスペース内に入り組むように設置されている。また抵抗器の両端から引き出される一対のリード線は、それらを通電用の電源に接続するため、同一方向に揃えて引き出す方が好適な場合が多い。
【０００５】
このようなことから、前記通水パイプに抵抗器を取り付ける場合は、例えば図１１に示すように、抵抗器５００の一端面から突出したリード線５０１を折り返してセラミックケース５０５に沿わせた後、他端面から突出したリード線５０３と揃えて同一方向を向けて引き出した状態で保持し、この状態の抵抗器５００を、前記リード線５０１を折り返した側を先端側として前記給湯器の狭い隙間に挿入して行き、所望の通水パイプに取り付けるようにしていた。
【０００６】
しかしながら、一方のリード線５０１を折り返した状態で、棒状の抵抗器５００を狭い隙間に挿入する際、折り返したリード線５０１は固定されていないため、周囲の部材に容易に干渉して引っ掛かり易い。このためこのリード線５０１が前記抵抗器５００の挿入の妨げになることが多く、給湯器のスムーズな組み立て作業を阻害する恐れがあった。
【０００７】
本発明は上述の点に鑑みてなされたものでありその目的は、折り返したリード線を簡単な構成で容易且つ確実に固定することができて、機器への取付作業をスムーズに行うことができる抵抗素子収納用ケース及びこの抵抗素子収納用ケースを用いた抵抗器を提供することにある。
【課題を解決するための手段】
【０００８】
本発明は、抵抗素子を収納する収納部を有する抵抗素子収納用ケースにおいて、前記抵抗素子収納用ケースの一方の側面から突出する保持部形成部を設け、前記収納部に収納される抵抗素子に接続されて前記収納部の外部に引き出されるリード線を保持する保持部を、前記保持部形成部の底面に形成し、前記保持部は、前記保持部形成部の一端から他端に向けて、前記収納部に沿う方向に溝状に形成され、且つ前記収納部の開口側から投影した際に前記収納部と重ならない位置に設けられ、前記保持部形成部の底面は、抵抗素子収納用ケースの収納部を設けた側の部分の底面よりも上方に位置させ、
且つ前記抵抗素子収納用ケースの収納部を設けた側の部分の底面を、当該抵抗素子収納用ケースを取り付ける機器への取付面としたことを特徴としている。
抵抗素子収納用ケースに保持部を設けるという簡単な構成で、収納部から外部に引き出して折り返したリード線を容易且つ確実に保持することができる。従って、この抵抗素子収納用ケースを用いて製造した抵抗器を機器に取り付ける取付作業は、スムーズに行うことができる。
【００１０】
また前記保持部は、前記抵抗素子収納用ケースの一端から他端に向けて、前記収納部に沿う方向に溝状に形成されているので、折り返したリード線を、抵抗素子収納用ケースの全長に渡って保持でき、その保持を確実に行うことができる。
【００１１】
また前記保持部は、前記収納部の開口側から投影した際に、前記収納部と重ならない位置に設けられているので、収納部と保持部は上下に重なることがないので、抵抗素子収納用ケースの厚みの薄型化を図ることができる。
【００１３】
また本発明にかかる抵抗器は、前記抵抗素子収納用ケースの収納部内に、抵抗素子を収納すると共にこの収納部を充填材で充填し、さらに前記抵抗素子収納用ケースの両端から突出する一対のリード線の内、一方のリード線を、前記抵抗素子収納用ケースから外部に引き出した部分で折り返して前記保持部に保持し、これによって、前記一対のリード線の突出方向を同一方向としたことを特徴としている。
抵抗素子収納用ケースに設けた保持部によって、収納部から外部に引き出して折り返したリード線を容易且つ確実に保持することができる。従って、この抵抗器を機器に取り付ける取付作業は、スムーズに行うことができる。
【発明の効果】
【００１４】
本発明によれば、抵抗素子収納用ケースに保持部を設けるという簡単な構成で、折り返したリード線を容易且つ確実に固定することができ、この抵抗素子収納用ケースを用いた抵抗器の機器への取付作業をスムーズに行うことができる。
【図面の簡単な説明】
【００１５】
【図１】抵抗器１の斜視図である。
【図２】抵抗素子収納用ケース１０に抵抗素子５０を収納した状態の斜視図である。
【図３】抵抗素子収納用ケース１０に抵抗素子５０を収納した状態を下面側から見た斜視図である。
【図４】抵抗素子収納用ケース１０と抵抗素子５０の分解斜視図である。
【図５】抵抗素子収納用ケース１０と抵抗素子５０を下側から見た分解斜視図である。
【図６】図１のＡ−Ａ断面図（但し、充填材８０の記載省略）である。
【図７】抵抗素子収納用ケース１０の底面１０ｃの一端部付近の拡大底面図である。
【図８】抵抗器１の一使用例を示す要部斜視図である。
【図９】抵抗器１−２〜１−４（但し充填材の記載を省略）を示す断面図である。
【図１０】抵抗器１−５〜１−７（但し充填材の記載を省略）を示す断面図である。
【図１１】従来の抵抗器５００の斜視図である。
【発明を実施するための形態】
【００１６】
以下、本発明の実施形態を図面を参照して詳細に説明する。図１は本発明の１実施形態にかかる抵抗器１の斜視図、図２は抵抗素子収納用ケース（以下単に「ケース」という）１０に抵抗素子５０を収納した状態の斜視図、図３はケース１０に抵抗素子５０を収納した状態を下面側から見た斜視図、図４はケース１０と抵抗素子５０の分解斜視図、図５はケース１０と抵抗素子５０を下側から見た分解斜視図、図６は図１のＡ−Ａ断面図（但し充填材８０の記載を省略）である。これらの図に示すように、抵抗器１は、抵抗素子収納用ケース１０の収納部１１に抵抗素子５０を収納し、さらにこの収納部１１内に充填材８０を充填固化して構成されている。なお以下の説明において、「上」とは収納部１１の内部からその開口１３を向く方向をいい、「下」とはその反対方向をいうものとする。
【００１７】
ケース１０は、棒状（長尺で略四角柱状）のセラミックス製であって、その天面１０ａに矩形凹状の収納部１１を設けて構成されている。収納部１１は、抵抗素子５０を収納できる寸法形状に形成されている。ケース１０の左右両端面１０ｅ，１０ｆには、その上辺中央から切り欠かれるように、凹状（略Ｕ字状）のリード線挿入部１５，１７が設けられている。リード線挿入部１５，１７の幅寸法は、下記するリード線５５，５７の外径寸法よりも若干小さい寸法に形成されている。
【００１８】
ケース１０の一方の側面１０ｂの下部側には、矩形直線棒状の保持部形成部１９が突出するように一体に設けられている。保持部形成部１９は、ケース１０の全長に渡って形成されており、図６に示すように、その天面１０ａは収納部１１を設けた部分の天面１０ａよりも低く、その底面１０ｃは、ケース１０の収納部１１を設けた側の部分の底面１０ｃよりも少し上方に位置している。保持部形成部１９の天面１０ａを収納部１１を設けた側の部分の天面１０ａよりも低くしたのは、必要以上にケース１０を大きくするのを抑えるためであり、また保持部形成部１９の底面１０ｃを収納部１１を設けた側の部分の底面１０ｃよりも少し上方に位置したのは、この抵抗器１を下記する機器１００に取り付ける際の基準面を、常に収納部１１を設けた側の部分の底面１０ｃとするためである。即ち、保持部形成部１９の底面１０ｃを、収納部１１を設けた側の部分の底面１０ｃと同一面とすると、ケース１０の製造時の寸法収縮等で、保持部形成部１９の底面１０ｃが、収納部１１を設けた側の部分の底面１０ｃよりも下方向に突出する場合が生じ、機器１００への取り付けが阻害されたり、取り付けた際にがたつきが生じたりする恐れがあるからである。次に、保持部形成部１９の底面１０ｃ側には、保持部形成部１９の全長に渡って、直線状の凹部からなる保持部２１が形成されている。即ち、保持部２１は、ケース１０の一端から他端に向けて、収納部１１に沿う方向に溝状に形成されている。保持部２１の幅寸法は、下記するリード線５５，５７の直径寸法よりも若干大きく形成され、またその深さ寸法は、下記するリード線５５全体を収納できる寸法に形成されている。
【００１９】
図７は、ケース１０の底面１０ｃの一端部付近の拡大底面図である。同図及び図６に示すように、保持部２１の対向する両側面の所定位置には、リード線押え部２３が突出するように設けられている。リード線押え部２３は、上下方向に向かって延びる線状の突起であり、保持部２１の一方の内側面に１つ、他方の内側面に２つ、互い違いに設けられている。またリード線押え部２３は、保持部２１の他方の端部近傍にも同様に、一方の内側面に１つ、他方の内側面に２つ、互い違いに設けられている。リード線押え部２３の先端と、これに対向する保持部２１の内側面（リード線押え部２３のない面）間の幅寸法は、リード線５５，５７の直径寸法よりも若干小さくなっている。
【００２０】
抵抗素子５０は長尺円柱状の絶縁棒の外周に抵抗線を巻き付け、その両端に金属製のキャップ５１，５３を被せ、その際、リード線５５，５７から引き出した電線５９，６１をキャップ５１，５３に挟み込み、この状態でキャップ５１，５３の外周側面をかしめて構成されている。
【００２１】
そしてこの抵抗器１を製造するには、まずケース１０の開口１３から収納部１１内に抵抗素子５０を収納し、その際、図２に示すように抵抗素子５０に接続された一対のリード線５５，５７の根元近傍部分を、それぞれケース１０の各リード線挿入部１５，１７に圧入する。
【００２２】
次に、一方のリード線５５をケース１０から外部に引き出した部分で折り返して、ケース１０の保持部２１の全長に渡って挿入し保持する。これによって、一対のリード線５５，５７の突出方向を同一方向に揃えることができる。保持部２１内に収納されたリード線５５は、保持部２１内に設けたリード線押え部２３によって互い違いに挟持され、無理なく、容易且つ確実に固定される。
【００２３】
次に、図１に示すように、抵抗素子５０を収納した収納部１１内に充填材８０を充填して抵抗素子５０を密封し固化する。充填材８０としては、例えば耐熱シリコンセメントなどの絶縁材料を用いる。そして、図１に示すように、ケース１０の端面１０ｅ，１０ｆのリード線５５，５７を引き出す部分に、防水用の封止部材８５を塗布する。封止部材８５としては、例えばシリコンラバーを用いる。これによって抵抗器１が完成する。なお上記組立手順はその一例であり、他の各種異なる組立手順を用いて組み立てても良いことはいうまでもない。例えば、上記組立手順では、リード線５５の保持部２１内への保持を、収納部１１に充填材８０を充填する前に行ったが、充填材８０を充填した後（さらには封止部材８５を塗布した後）にリード線５５を折り返して保持部２１内に保持させても良い。
【００２４】
図８は前記抵抗器１の一使用例を示す要部斜視図である。同図において抵抗器１を取り付ける機器１００は給湯器用の熱交換器であり、機器１００から突出する通水パイプ１０１に当接するように、抵抗器１を取り付ける。この例の場合、通水パイプ１０１は、他の部材に接近して設置されているので、抵抗器１は、狭いスペースＳ１内に例えば矢印Ａ１方向に向けて挿入して通水パイプ１０１に当接させ、図示しない固定金具で固定する必要がある。そしてこのような場合でも、折り返したリード線５５は、保持部２１内に確実に挿入され保持されているので、抵抗器１を前記リード線５５を折り返した側を先端側として矢印Ａ１方向に向けて機器１００の狭いスペースＳ１に挿入して行き、所望の通水パイプ１０１に取り付ける際でも、リード線５５はその周囲の部材に干渉することなく、引っ掛かったりしない。このため通水パイプ１０１への抵抗器１の取付作業をスムーズに行うことができ、機器１００の組み立て作業をスムーズに行うことができる。また抵抗器１の両端から引き出される一対のリード線５５，５７を容易に同一方向に揃えて引き出すことができるので、これら一対のリード線５５，５７の通電用の電源への接続を容易に行うことができる。なお、この抵抗器１においては、保持部２１の開口をケース１０の底面１０ｃ側に設けたので、この底面１０ｃを機器１００の表面に当接することで（通水パイプ１０１の表面に当接させても良い）、この機器１００の表面によって保持部２１の開口は塞がれ、リード線５５の保持部２１からの離脱をさらに確実に防止することができる。
【００２５】
図９，図１０は、他の抵抗器１−２〜１−７（但し充填材の記載を省略）を示す断面図であり、何れも前記図６に相当する部分の断面図である。これらの図に示す抵抗器１−２〜１−７において、前記図１〜図８に示す実施形態にかかる抵抗器１と同一又は相当部分には同一符号を付す（但し、各符号には添え字「−２」〜「−７」を付す）。なお以下で説明する事項以外の事項については、前記図１〜図８に示す実施形態と同じである。これらの抵抗器１−２〜１−７において、前記抵抗器１と相違する主な点は、保持部２１を設ける位置である。
【００２６】
即ち、図９（ａ）に示す抵抗器１−２においては、保持部形成部１９−２の天面１０−２ａ側に保持部２１−２を形成している。また図９（ｂ）に示す抵抗器１−３においては、保持部形成部１９−３の側面１０−３ｂ側に保持部２１−３を形成している。これらの例では、必要に応じて、保持部形成部１９−２，３の底面以外の別の面に保持部２１−２，３を形成している。
【００２７】
また図９（ｃ）〜図１０（ｃ）に示す抵抗器１−４〜１−７においては、保持部形成部１９を設けず、横断面略矩形状に形成したケース１０−４〜７に直接保持部２１−４〜７を形成している。即ち図９（ｃ）に示す抵抗器１−４においては、ケース１０−４の底面１０−４ｃの側部に保持部２１−４を設けている。また図１０（ａ）に示す抵抗器１−５においては、ケース１０−５の底面１０−５ｃの中央に、保持部２１−５を設けている。また図１０（ｂ）に示す抵抗器１−６においては、ケース１０−６の天面１０−６ａの収納部１１−６の側部に保持部２１―６を設けている。また図１０（ｃ）に示す抵抗器１−７においては、ケース１０−７の側面１０−７ｂに保持部２１―７を設けている。即ち、保持部２１、２１−２〜７は、ケース１０、１０−２〜７の収納部１１、１１−２〜７が開口する天面１０ａ、１０−２ａ〜７ａ、又は底面１０ｃ、１０−２ｃ〜７ｃ、又は側面１０ｂ、１０−２ｂ〜７ｂ、１０ｄ、１０−２ｄ〜７ｄの何れか１面に形成すればよい。
【００２８】
これら各抵抗器１、１−２〜１−７の内、図１０（ａ）に示す抵抗器１−５においては、ケース１０−５の底面１０−５ｃの中央に保持部２１−５を設けているので、ケース１０−５の高さ方向の厚みが厚くなり易いが、それ以外の抵抗器１、１−２〜４，６，７については、何れも収納部１１、１１−２〜４，６，７の開口１３、１３−２〜４，６，７側から投影した際に、収納部１１、１１−２〜４，６，７と重ならない位置に保持部２１、２１−２〜４，６，７を設けているので、ケース１０、１０−２〜４，６，７の高さ方向の厚みの薄型化を図ることができる。
【００２９】
また  これら各抵抗器１、１−２〜４，６，７においては、保持部２１、２１−２〜４，６，７が、収納部１１、１１−２〜４，６，７の天面１０ａ、１０−２ａ〜４ａ，６ａ，７ａの高さを超えないケース１０、１０−２〜４，６，７側の位置に設けられているので、これによってもケース１０、１０−２〜４，６，７の厚みの薄型化を図ることができる。
【００３０】
以上説明したように、上記抵抗器１、１−２〜７によれば、収納部１１、１１−２〜７の外部に引き出されるリード線５５、５５−２〜７を保持する保持部２１、２１−２〜７を設けるという簡単な構成で、収納部１１、１１−２〜７から外部に引き出して折り返したリード線５５、５５−２〜７を容易且つ確実に保持することができる。従って、上述のように、このケース１０、１０−２〜７を用いて製造した抵抗器１、１−２〜７を機器に取り付ける取付作業をスムーズに行うことができる。
【００３１】
また保持部２１、２１−２〜７は、ケース１０、１０−２〜７の一端から他端に向けて、収納部１１、１１−２〜７に沿う方向に溝状に形成されているので、折り返したリード線５５、５５−２〜７を、ケース１０、１０−２〜７の全長に渡って保持でき、その保持をさらに確実に行うことができる。
【００３２】
なお上記例では、リード線５５を保持部２１に保持したが、その代りに、リード線５７を保持部２１に保持しても良い。また上記例では、保持部２１に充填材を充填していないが、場合によってはリード線５５を保持した保持部２１に充填材を充填して密封・固定しても良い。
【００３３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、本発明にかかる抵抗器は、ヒータ用の抵抗器に限定されず、ヒータ用以外の各種用途に用いる抵抗器に適用しても良い。また上記各例では、保持部を収納部に沿う方向に溝状に設けたが、収納部に沿わなくても良く、また溝状ではなく、一対の突起等によってリード線を挟む構成等としても良い。
【符号の説明】
【００３４】
１  抵抗器
１０  ケース（抵抗素子収納用ケース）
１０ａ  天面
１０ｂ、１０ｄ  側面
１０ｃ  底面
１０ｅ，１０ｆ  端面
１１  収納部
１３  開口
２１  保持部
５０  抵抗素子
５５，５７  リード線
８０  充填材
【図１】
0006499020.tif 000002
【図２】
0006499020.tif 000003
【図３】
0006499020.tif 000004
【図４】
0006499020.tif 000005
【図５】
0006499020.tif 000006
【図６】
0006499020.tif 000007
【図７】
0006499020.tif 000008
【図８】
0006499020.tif 000009
【図９】
0006499020.tif 000010
【図１０】
0006499020.tif 000011
【図１１】
0006499020.tif 000012